(57)【要約】      （修正有）【課題】栽培用の栽培ポットとして利用できるとともに、植物の種子と、この種子を育成する土に加えてメッセージカードや他の物品をも収納して郵送可能とする。【解決手段】１枚のカード体１の中央に折れ線７を形成して左右の紙片２Ａ，２Ｂを開閉可能に構成し、カード体１の内面に、折畳まれて収容され、開くと袋状になる耐水性合成紙により形成した内片を取付けて、カード体１の開閉と前記内片の開閉とを連動させ、しかして、カード体１を封着可能に構成した。【選択図】図１
0003105621.tif 000002
【実用新案登録請求の範囲】
【請求項１】
１枚のカード体の中央に折れ線を形成して左右の紙片を開閉可能に構成し、前記カード体の内面に、折畳まれて収容され、開くと袋状になる耐水性合成紙により形成した内片を取付けて、前記カード体の開閉と前記内片の開閉とを連動させ、
しかして、前記カード体を封着可能に構成したことを特徴とする栽培ポット付カード。
【請求項２】
前記カード体の左右紙片の上縁および下縁にそれぞれ突片を取付け、この突片同士を対向させて接着可能にするとともに、カード体の左右縁部にそれぞれ接着部を取付け、この接着部同士を接着可能にしたことを特徴とする請求項１記載の栽培ポット付カード。
【請求項３】
前記カード体の左右紙片の少なくとも一方の紙片の上縁および下縁に突片を取付け、この突片には指し込み可能な舌片を設けるとともに、他方の紙片には前記舌片に対応する切込みを形成し、
しかして、カード体の左右縁部を接着可能に構成したことを特徴とする請求項１記載の栽培ポット付カード。
【請求項４】
前記袋状の内片により、前記カード体が開いた状態で保持される事を特徴とする請求項１記載の栽培ポット付カード。
【考案の詳細な説明】
【技術分野】
【０００１】
本考案は、折畳んで袋体を形成し、植物の種子と、この種子を育成する土とをメッセージや他の物品とともに内部に収納して郵送することができ、さらに植物を栽培する栽培ポットとして利用可能な栽培ポット付カードに関する。
【背景技術】
【０００２】
連続的に形成した幾つかの形成片からなる１枚のシート部材を折畳み、その内部に物品を収納可能に構成したメッセージカードが既に出願されている（特許文献１）。従来のものは、収納する物品の形状に合わせて受入孔を形成し、受入孔の縁部には物品が離脱しないための係止片郡を設けて物品を固定していた。しかし、前記構成によれば、物品の形状に応じて複雑な形の受入孔を形成する必要があるうえに、あらかじめ決められた物品しか収納できないため、物品の種類だけの型が必要で製造コストが高くなってしまっていた。
【０００３】
郵便はがきなどの紙片を樹脂製の枠体の表裏に貼付けて定形郵便物型の箱状体を形成し、その内部に植物の種子と該種子を育成するための土とを収納するとともに、この箱状体を利用して植物を栽培できるキットが既に出願されている（特許文献２）。この栽培キットは箱状体の内部に種子を含んだ土を充填しており、枠体に貼付けた紙片のうちの表面か裏面を剥がして土を露出させ、植物の栽培を行うことができる。しかし、箱状体の内部は土で満たされており、他の物品を収納するスペースを備えていないし、箱状体の表面または裏面にメッセージや写真、絵などを有していたとしても、栽培の際には、その面を表示することができなかった。
【特許文献１】実開Ｓ６３−１０１５７５号公報
【特許文献２】実開Ｈ０４−５２４３２号公報
【考案の開示】
【考案が解決しようとする課題】
【０００４】
解決しようとする課題は、栽培用の栽培ポットとして利用できるとともに、植物の種子と、この種子を育成する土に加えてメッセージカードや他の物品をも収納して郵送可能とすることである。
【課題を解決するための手段】
【０００５】
請求項１記載のごとく、１枚のカード体の中央に折れ線を形成して左右の紙片を開閉可能に構成し、前記カード体の内面に、折畳まれて収容され、開くと袋状になる耐水性合成紙により形成した内片を取付けて前記カード体の開閉と前記内片の開閉とを連動させ、
しかして、前記カード体を封着可能に構成した。
【０００６】
請求項２記載のごとく、前記カード体の左右紙片の上縁および下縁にそれぞれ突片を取付け、この突片同士を対向させて接着可能にするとともに、カード体の左右縁部にそれぞれ接着部を取付け、この接着部同士を接着可能にした。
【０００７】
請求項３記載のごとく、前記カード体の左右紙片の少なくとも一方の紙片の上縁および下縁に突片を取付け、この突片には指し込み可能な舌片を設けるとともに、他方の紙片には前記舌片に対応する切込みを形成し、しかして、カード体の左右縁部を接着可能に構成した。
【０００８】
請求項４記載のごとく、前記袋状の内片により、前記カード体が開いた状態で保持させた。
【考案の効果】
【０００９】
請求項１記載のごとく、開閉可能なカード体の内面に袋状に形成可能な耐水性合成紙製の内片を取付けるとともに、カード体の遊離端同士を接着可能に構成したことにより、カード体を袋状に形成して封着し、内部に植物の種子や栽培用の土やメッセージカードやその他の物品などを収納して郵送することが可能となり、また、カード体を開いた状態で内片を袋状に形成して栽培ポットとして使用することができ、屋内で手軽に植物の栽培が行える。
【００１０】
請求項２記載のごとく、カード体の縁部に突片を取付けたことにより、カード体を袋状に形成した際の内部の容積を大きくすることができて、物品等を余裕をもって収納することができる。
【００１１】
請求項３記載のごとく、一方の紙片の縁部に取付けた突片に舌片を設け、他方の紙片の対応する箇所に切込みを設けて、この切込みに舌片を係合可能に構成したことにより、カード体を袋状に形成した際の内容積を大きくするとともに、カード体を確実に封着することができる。
【００１２】
請求項４記載のごとく、内片によってカード体の開いた状態を保持すべく構成したことにより、カード体を開いて内片を袋状に形成すると、カード体はその状態で保持されるため、簡単に組み立てて栽培ポットとして利用できる。
【考案を実施するための最良の形態】
【００１３】
以下、図面を参照して本考案に係る栽培ポット付カードについて詳細に説明する。第１図ないし第４図および第８図は本考案による栽培ポット付カードの実施例を示しており、第５図ないし第７図は本考案による栽培ポット付カードの内片の実施例を示している。
【００１４】
第１図は本考案による栽培ポット付カードの第１実施例を示す平面図である。
カード体１は破線で示した折れ線７を境として開閉自在な第１紙片２Ａと第２紙片２Ｂとを有している。それぞれの紙片上縁および下縁には突片４が取付けられ、カード体１の左右縁部には接着部８が設けられている。カード体１の中央下部には折れ線７を挟んで内片３の取付部９が２点鎖線で示されており、内片３はこの取付部９に取付けられる。
【００１５】
第２図は第１図に示した栽培ポット付カードを閉じた状態を示す平面図である。
折れ線７を境にしてカード体１を閉じ、接着部８を合わせてカード体１の左右縁部を接着する。さらに、上縁および下縁は突片４を折曲線１１に沿って折曲げて合わせ、テープやシール、接着剤などで接着してカード体１を封着する。第１紙片２Ａおよび第２紙片２Ｂはハガキ程度の大きさとし、カード体１を封着して郵送する際に定形郵便として扱えるようにする。
【００１６】
縁部を接着して袋状に形成したカード体１には植物の種子、種子を育成するための土、およびメッセージカードなどの物品を収容する。収容する種子育成用の土には、水分を吸収して膨らむ土を用いると郵送時にかさばらず、重量が軽くなる。また、突辺４を折曲線１１に沿って折り曲げて、折り曲げた突辺４同士を接着しており、多少の厚みをもつ物品でもカード体１内部に収容することができる。
【００１７】
封着されたカード体１を開けるには、まず接着部８を切取線１０に沿って切取る。切取線１０をミシン目で形成すると、はさみなどを用いることなく容易に切取ることができる。上縁および下縁は、折曲線１１に沿って切取るか、またはテープなどで接着した場合にはそれらを剥がす。
【００１８】
第３図は本考案による栽培ポット付カードの第２実施例を示す平面図である。
第１実施例との違いは、第1紙片２Ａの上縁部および下縁部に切込み６を設けてあり、さらに第２紙片２Ｂの上縁部および下縁部に設けた突片４の上端部または下端部に舌片５を設けている点である。カード体１を閉じて第１紙片２Ａと第２紙片２Ｂを合わせ、第２紙片２Ｂに取付けた突片４を第１紙片２Ａ側に折り曲げた際に舌片５が差し込める位置にこの切込み６は設けられている。
【００１９】
カード体１を閉じて突片４を折り曲げ、上縁および下縁は舌片５を切込み６に差し込んで係止し、左右縁部は接着部８により接着してカード体１を封着する（図４（ａ））。第４図（ｂ）に示すように、舌片５を切込み６に差し込んで係止し、シール１４によって接着してもよい。第１紙片２Ａの上縁に設けてある突辺４に植物の種子や栽培用土１３などを入れた袋を取付ける。
【００２０】
第５図はカード体１に取付ける内片３の実施態様で、上方からの斜視図を示している。また、カード体１の開披状態を２点差線で示している。
【００２１】
内片３は耐水性合成紙により形成され、カード体１内部の取付部９に折畳まれた状態で接着されている（第５図（ａ））。カード体１を開くと、それに伴って内片３が開いて袋状に形成され始める（第５図（ｂ））。カード体１をある程度まで開くと内片３は袋状に形成されて栽培ポットとして使用される（第５図（ｃ））。内片３は袋状の状態を維持するように形成されており、カード体１を開いた状態で保持する。そのため、カード体１を開くと内片３によりその状態が保持され、机などの上に立てて栽培ポットとして使用することができる。
【００２２】
第６図および第７図は内片３の第２実施例を示し、第６図は内片３の展開図、第７図は内片３の実施態様を示す上方斜視図である。第６図において破線は山折り線、２点鎖線は谷折り線を示している。
【００２３】
内片３は、側部２０Ａないし２０Ｄおよび側部２１Ａないし２１Ｄを折目線にそって山折または谷折して蛇腹状に折畳むとともに底部２５を谷折りして前部２３と背部２４を合わせ、側部２０・２１を背部２４側に折り曲げて、さらに舌部２２を背部２４側に折り曲げて形成される。この内片３の第２実施例の背部２４を第３図および第４図に示した形状の取付部９に接着して栽培ポット付カードを形成する（図７）。
【００２４】
第８図は本考案による栽培ポット付カードの実施態様を示す斜視図である。
カード体１を開くと内片３も連動して袋状に開き、カード体１は開いた状態を保持する。この栽培ポット付カードは、机や棚などのうえにおいて使用する。袋状に形成された内片３には栽培用土１３を敷き、そこで植物１２を栽培する。植物１２がある程度の大きさにまで育った際には、土ごとプランターや植木鉢などに植え替えることで継続して育てることも可能である。
【図面の簡単な説明】
【００２５】
【図１】栽培ポット付カードの第１実施例の開いた状態を示す平面図。
【図２】栽培ポット付カードの第１実施例の閉じた状態を示す平面図。
【図３】栽培ポット付カードの第２実施例の開いた状態を示す平面図。
【図４】栽培ポット付カードの第２実施例の閉じた状態を示す平面図。
【図５】内片の実施態様を示す上方斜視図。
【図６】内片の第２実施例を示す展開図。
【図７】内片の第２実施例の実施態様を示す上方斜視図。
【図８】栽培ポット付カードの実施態様を示す斜視図。
【符号の説明】
【００２６】
１          カード体
２Ａ        第１紙片
２Ｂ        第２紙片
３          内片
４          突片
５          舌片
６          切込み
７          折れ線
８          接着部
９          取付部
１０        切取線
１１        折曲線
１２        植物
１３        栽培用土
１４        シール
２０、２１  側部
２２        舌部
２３        前部
２４        背部
２５        底部
【図２】
0003105621.tif 000003
【図７】
0003105621.tif 000004
【図１】
0003105621.tif 000005
【図３】
0003105621.tif 000006
【図４】
0003105621.tif 000007
【図５】
0003105621.tif 000008
【図６】
0003105621.tif 000009
【図８】
0003105621.tif 000010